(57)【特許請求の範囲】
【請求項１】
固定型、移動型及びサイドコアとからなる射出成形用金型を用いて上下が開口し且つ下端から上端側にいくにしたがって径が大きくなるような容器状をし且つ前面部にアリ溝からなるアリ溝模様部を有する雨樋用飾り集水器を成形する成形方法であって、上記成形金型を固定型と移動型と前記アリ溝からなる一対のアリ溝模様部を形成するための一対のサイドコアとで構成し、固定型に一対のガイド孔を設けると共に該一対のガイド孔の先端間の距離が後端間の距離よりも長くなるように一対のガイド孔を略ハ字状の配置関係となるように形成し、該一対のガイド孔に前進、後退自在に一対のサイドコアを挿入し、固定型に移動体を移動自在に設け、一対のサイドコアの後端部を移動方向変換機構を介して移動体に連結し、移動体の移動により、ガイド孔から突出してキャビティ内にサイドコアの先端が突入する状態と、ガイド孔から突出してキャビティのアリ溝模様形成部の外面位置にサイドコアの先端が位置する状態と、ガイド孔にサイドコアの先端が後退する状態とに移動自在とし、上記の構成の射出成形金型を用いて雨樋用飾り集水器を成形する際にサイドコアによりアリ溝模様部を成形するに当たって、上記サイドコアを前進させて１対のサイドコアの先端部がガイド孔から突出してキャビティ内に突入させて合成樹脂の流動経路を制限した状態でキャビティ内に合成樹脂を充填していき、合成樹脂の充填が所定量に達した時に１対のサイドコアを先端部がガイド孔から突出し且つキャビティのアリ溝模様形成部の外面位置に位置する状態まで後退させて合成樹脂の流れを促進し、成形後に型開きする前に１対のサイドコアの先端をガイド孔に後退させることを特徴とする雨樋用飾り集水器の射出成形方法。
【請求項２】
固定型、移動型及びサイドコアとからなる射出成形用金型を用いて上下が開口し且つ下端から上端側にいくにしたがって径が大きくなるような容器状をし且つ前面部にアリ溝からなるアリ溝模様部を有する雨樋用飾り集水器を成形するに成形方法であって、上記成形金型を固定型と移動型と前記アリ溝からなる一対のアリ溝模様部を形成するための一対のサイドコアとで構成し、固定型に一対のガイド孔を設けると共に該一対のガイド孔の先端間の距離が後端間の距離よりも長くなるように一対のガイド孔を略ハ字状の配置関係となるように形成し、該一対のガイド孔に前進、後退自在に一対のサイドコアを挿入し、固定型に一対の移動体を相互に独立して移動自在に設け、且つ、一対のサイドコアの後端部をそれぞれ別々の移動体にそれぞれ別々の移動方向変換機構を介して連結し、且つ、各移動体の移動により、ガイド孔から突出してキャビティ内にサイドコアの先端が突入する状態と、ガイド孔から突出してキャビティのアリ溝模様形成部の外面位置にサイドコアの先端が位置する状態と、ガイド孔にサイドコアの先端が後退する状態とに移動自在に構成し、上記の構成の射出成形金型を用いて雨樋用飾り集水器を成形する際にサイドコアによりアリ溝模様部を成形するに当たって、上記サイドコアを前進させて１対のサイドコアの先端部がガイド孔から突出してキャビティ内に突入させて合成樹脂の流動経路を制限した状態でキャビティ内に合成樹脂を充填していき、合成樹脂の充填が所定量に達した時に１対のサイドコアを先端部がガイド孔から突出し且つキャビティのアリ溝模様形成部の外面位置に位置する状態まで後退させて合成樹脂の流れを促進し、成形後に型開きする前に１対のサイドコアの先端をガイド孔に後退させることを特徴とする雨樋用飾り集水器の射出成形方法。
【請求項３】
上下が開口し且つ下端から上端側にいくにしたがって径が大きくなるような容器状をし且つ前壁部にアリ溝からなる左右一対のアリ溝模様部を有する雨樋用飾り集水器を成形するための金型装置であって、該金型装置が固定型と移動型と前記アリ溝からなる一対のアリ溝模様部を形成するための一対のサイドコアとからなり、固定型に一対のガイド孔を設けると共に該一対のガイド孔の先端間の距離が後端間の距離よりも長くなるように一対のガイド孔を略ハ字状の配置関係となるように形成し、該一対のガイド孔に前進、後退自在に一対のサイドコアを挿入し、固定型に移動体を移動自在に設け、一対のサイドコアの後端部を移動方向変換機構を介して移動体に連結し、移動体の移動により、ガイド孔から突出してキャビティ内にサイドコアの先端が突入する状態と、ガイド孔から突出してキャビティのアリ溝模様形成部の外面位置にサイドコアの先端が位置する状態と、ガイド孔にサイドコアの先端が後退する状態とに移動自在として成ることを特徴とする雨樋用飾り集水器の射出成形金型装置。
【請求項４】
上下が開口し且つ下端から上端側にいくにしたがって径が大きくなるような容器状をし且つ前壁部にアリ溝からなる左右一対のアリ溝模様部を有する雨樋用飾り集水器を成形するための金型装置であって、該金型装置が固定型と移動型と前記アリ溝からなる一対のアリ溝模様部を形成するための一対のサイドコアとからなり、固定型に一対のガイド孔を設けると共に該一対のガイド孔の先端間の距離が後端間の距離よりも長くなるように一対のガイド孔を略ハ字状の配置関係となるように形成し、該一対のガイド孔に前進、後退自在に一対のサイドコアを挿入し、固定型に一対の移動体を相互に独立して移動自在に設け、一対のサイドコアの後端部をそれぞれ別々の移動体にそれぞれ別々の移動方向変換機構を介して連結し、各移動体の移動により、ガイド孔から突出してキャビティ内にサイドコアの先端が突入する状態と、ガイド孔から突出してキャビティのアリ溝模様形成部の外面位置に各サイドコアの先端が位置する状態と、ガイド孔にサイドコアの先端が後退する状態とに移動自在として成ることを特徴とする雨樋用飾り集水器の射出成形金型装置。
【発明の詳細な説明】
【０００１】
【発明の属する技術分野】
本発明は、前面部にアリ溝模様部を有する雨樋用飾り集水器を形成するための射出成形方法及び射出成形金型装置に関するものである。
【０００２】
【従来の技術】
軒樋に接続して軒樋を流れる雨水を集水して縦樋に流すための雨樋部品として集水器が用いられいる。この集水器は上下が開口し且つ下端から上端側にいくにしたがって径が大きくなるような容器状をしており、成形に当たっては、移動型と固定型とよりなる金型装置を用いて合成樹脂の射出成形により成形するものである。
【０００３】
そして、上記のようにして成形される集水器３０の前面部は図１３のように化粧面９となっており、この化粧面９の縁部分に「すかし部品」と称する別部品の縁材３１を接着又は溶着で取付けて、該縁材３１により化粧面９の縁部分にアリ溝形状をしたアリ溝模様部を形成して深み感のある立体的で豪華な縁模様を形成するようにしていた。
【０００４】
【発明が解決しようとする課題】
上記のような従来例にあっては、集水器３０、「すかし部品」と称する別部品の縁材３１をそれぞれ別工程で射出成形により形成した後に、集水器３０に別部品の縁材３１を接着又は溶着で取付ける工程を必要とし、多工程となり、工程も複雑になるという問題がある。
【０００５】
本発明は上記の従来例の問題点に鑑みて発明したものであって、立体感、高級感のある雨樋用飾り集水器を１回の成形工程だけで簡単に成形でき、また、合成樹脂の最終充填位置を任意の位置に位置させることが可能となる雨樋用飾り集水器の射出成形方法及び射出成形金型装置を提供することを課題とするものである。
【０００６】
【課題を解決するための手段】
上記課題を解決するために本発明の雨樋用飾り集水器の射出成形方法は、固定型１、移動型２及びサイドコア３からなる射出成形用金型を用いて上下が開口し且つ下端から上端側にいくにしたがって径が大きくなるような容器状をし且つ前面部にアリ溝からなるアリ溝模様部４を有する雨樋用飾り集水器５を成形する成形方法であって、上記成形金型を固定型１と移動型２と前記アリ溝からなる一対のアリ溝模様部４を形成するための一対のサイドコア３とで構成し、固定型１に一対のガイド孔６を設けると共に該一対のガイド孔６の先端間の距離が後端間の距離よりも長くなるように一対のガイド孔６を略ハ字状の配置関係となるように形成し、該一対のガイド孔６に前進、後退自在に一対のサイドコア３を挿入し、固定型１に移動体７を移動自在に設け、一対のサイドコア３の後端部を移動方向変換機構を介して移動体７に連結し、移動体７の移動により、ガイド孔６から突出してキャビティ２５内にサイドコア３の先端が突入する状態と、ガイド孔６から突出してキャビティ２５のアリ溝模様形成部の外面位置にサイドコア３の先端が位置する状態と、ガイド孔６にサイドコア３の先端が後退する状態とに移動自在とし、上記の構成の射出成形金型を用いて雨樋用飾り集水器５を成形する際にサイドコア３によりアリ溝模様部４を成形するに当たって、上記サイドコア３を前進させて１対のサイドコア３の先端部がガイド孔６から突出してキャビティ２５内に突入させて合成樹脂の流動経路を制限した状態でキャビティ２５内に合成樹脂を充填していき、合成樹脂の充填が所定量に達した時に１対のサイドコア３を先端部がガイド孔６から突出し且つキャビティ２５のアリ溝模様形成部の外面位置に位置する状態まで後退させて合成樹脂の流れを促進し、成形後に型開きする前に１対のサイドコア３の先端をガイド孔６に後退させることを特徴とするものである。このようにサイドコア３によりアリ溝模様部４を形成することで、アリ溝からなるアリ溝模様部４を有する雨樋用飾り集水器５を射出成形用金型による１回の成形工程で成形できるものであり、しかも、上記略ハ字状に配置した一対のサイドコア３を移動方向変換機構を介して一つの移動体７の移動により同時に移動して、一対のサイドコア３の進退でアリ溝からなる一対のアリ溝模様部４を形成でき、更に、成形時に、サイドコア３がガイド孔６から突出してキャビティ２５内にサイドコア３の先端が突入して合成樹脂の流動径路を制限する状態から、サイドコア３がガイド孔６から突出してキャビティ２５のアリ溝模様形成部の外面位置にサイドコア３の先端が位置する状態に動かすタイミングを調整することで、充填する合成樹脂のウエルド位置を任意に制御することができるものである。
また、本発明の雨樋飾り集水器の射出成形方法として、固定型１、移動型２及びサイドコア３とからなる射出成形用金型を用いて上下が開口し且つ下端から上端側にいくにしたがって径が大きくなるような容器状をし且つ前面部にアリ溝からなるアリ溝模様部４を有する雨樋用飾り集水器５を成形するに成形方法であって、上記成形金型を固定型１と移動型２と前記アリ溝からなる一対のアリ溝模様部４を形成するための一対のサイドコア３とで構成し、固定型１に一対のガイド孔６を設けると共に該一対のガイド孔６の先端間の距離が後端間の距離よりも長くなるように一対のガイド孔６を略ハ字状の配置関係となるように形成し、該一対のガイド孔６に前進、後退自在に一対のサイドコア３を挿入し、固定型１に一対の移動体７を相互に独立して移動自在に設け、且つ、一対のサイドコア３の後端部をそれぞれ別々の移動体７にそれぞれ別々の移動方向変換機構を介して連結し、且つ、各移動体７の移動により、ガイド孔６から突出してキャビティ内にサイドコア３の先端が突入する状態と、ガイド孔６から突出してキャビティのアリ溝模様形成部の外面位置にサイドコア３の先端が位置する状態と、ガイド孔６にサイドコア３の先端が後退する状態とに移動自在に構成し、上記の構成の射出成形金型を用いて雨樋用飾り集水器５を成形する際にサイドコア３によりアリ溝模様部４を成形するに当たって、上記サイドコア３を前進させて１対のサイドコア３の先端部がガイド孔６から突出してキャビティ内に突入させて合成樹脂の流動経路を制限した状態でキャビティ内に合成樹脂を充填していき、合成樹脂の充填が所定量に達した時に１対のサイドコア３を先端部がガイド孔６から突出し且つキャビティのアリ溝模様形成部の外面位置に位置する状態まで後退させて合成樹脂の流れを促進し、成形後に型開きする前に１対のサイドコア３の先端をガイド孔６に後退させることを特徴とするものであってもよい。本方法においても、アリ溝からなるアリ溝模様部４を有する雨樋用飾り集水器５を射出成形用金型による１回の成形工程で成形できるものであり、更に、成形時に、サイドコア３がガイド孔６から突出してキャビティ２５内にサイドコア３の先端が突入して合成樹脂の流動径路を制限する状態から、サイドコア３がガイド孔６から突出してキャビティ２５のアリ溝模様形成部の外面位置にサイドコア３の先端が位置する状態に動かすタイミングを調整することで、充填する合成樹脂のウエルド位置を任意に制御することができるものである。しかも、上記略ハ字状に配置した一対のサイドコア３をそれぞれ別々の移動方向変換機構を介してそれぞれ別々の移動体７に連結してあるので、各サイドコア３の移動タイミングを独立して調整できて、より自由に充填する合成樹脂のウエルド位置を任意の位置に制御できるものである。
【０００７】
また、本発明の雨樋用飾り集水器の射出成形金型装置は、上下が開口し且つ下端から上端側にいくにしたがって径が大きくなるような容器状をし且つ前壁部にアリ溝からなる左右一対のアリ溝模様部４を有する雨樋用飾り集水器５を成形するための金型装置であって、該金型装置が固定型１と移動型２と前記アリ溝からなる一対のアリ溝模様部４を形成するための一対のサイドコア３とからなり、固定型１に一対のガイド孔６を設けると共に該一対のガイド孔６の先端間の距離が後端間の距離よりも長くなるように一対のガイド孔６を略ハ字状の配置関係となるように形成し、該一対のガイド孔６に前進、後退自在に一対のサイドコア３を挿入し、固定型１に移動体２を移動自在に設け、一対のサイドコア３の後端部を移動方向変換機構を介して移動体７に連結し、移動体７の移動により、ガイド孔６から突出してキャビティ内にサイドコア３の先端が突入する状態と、ガイド孔６から突出してキャビティのアリ溝模様形成部の外面位置にサイドコア３の先端が位置する状態と、ガイド孔６にサイドコア３の先端が後退する状態とに移動自在として成ることを特徴とするものである。このような構成とすることで、一対のサイドコア３の進退でアリ溝からなる一対のアリ溝模様部４を形成できる金型装置を提供でき、特に、成形時に、サイドコア３がガイド孔６から突出してキャビティ２５内にサイドコア３の先端が突入して合成樹脂の流動径路を制限する状態から、サイドコア３がガイド孔６から突出してキャビティ２５のアリ溝模様形成部の外面位置にサイドコア３の先端が位置する状態に動かすタイミングを調整することで、充填する合成樹脂のウエルド位置を任意に制御することができるものである。また、上記略ハ字状に配置した一対のサイドコア３を移動方向変換機構を介して一つの移動体７の移動により同時に移動できることになる。
【０００９】
また、上下が開口し且つ下端から上端側にいくにしたがって径が大きくなるような容器状をし且つ前壁部にアリ溝からなる左右一対のアリ溝模様部４を有する雨樋用飾り集水器５を成形するための金型装置であって、該金型装置が固定型１と移動型２と前記アリ溝からなる一対のアリ溝模様部４を形成するための一対のサイドコア３とからなり、固定型１に一対のガイド孔６を設けると共に該一対のガイド孔６の先端間の距離が後端間の距離よりも長くなるように一対のガイド孔６を略ハ字状の配置関係となるように形成し、該一対のガイド孔６に前進、後退自在に一対のサイドコア３を挿入し、固定型１に一対の移動体７を相互に独立して移動自在に設け、一対のサイドコア３の後端部をそれぞれ別々の移動体７にそれぞれ別々の移動方向変換機構を介して連結し、各移動体７の移動により、ガイド孔６から突出してキャビティ２５内にサイドコア３の先端が突入する状態と、ガイド孔６から突出してキャビティ２５のアリ溝模様形成部の外面位置に各サイドコア３の先端が位置する状態と、ガイド孔６にサイドコア３の先端が後退する状態とに移動自在として成ることも好ましい。このような構成とすることで、一対のサイドコア３の進退でアリ溝からなる一対のアリ溝模様部４を形成できる金型装置を提供でき、特に、成形時に、サイドコア３がガイド孔６から突出してキャビティ２５内にサイドコア３の先端が突入して合成樹脂の流動径路を制限する状態から、サイドコア３がガイド孔６から突出してキャビティ２５のアリ溝模様形成部の外面位置にサイドコア３の先端が位置する状態に動かすタイミングを調整することで、充填する合成樹脂のウエルド位置を任意に制御することができるものであり、この時、上記略ハ字状に配置した一対のサイドコア３がそれぞれ別々の移動方向変換機構を介してそれぞれ別々の移動体７に連結してあるので、各サイドコア３の移動タイミングを独立して調整できて、より自由に充填する合成樹脂のウエルド位置を任意の位置に制御できることになる。
【００１０】
【発明の実施の形態】
以下本発明を添付図面に示す実施形態に基づいて説明する。図５には本発明の方法及び装置により形成される雨樋用飾り集水器５が示してあり、この雨樋用飾り集水器５は上下が開口し且つ下端から上端側にいくにしたがって径が大きくなるような容器状をしており、雨樋用飾り集水器５の前面が化粧面９となっており、この化粧面９の縁部がアンダーカットされたアリ溝形状をしたアリ溝模様部４となっている（つまりアンダカット部となっている）。上記の構成の雨樋用飾り集水器５を成形するための本発明の成形金型装置は、図１乃至図４に示すような固定型１と移動型２とサイドコア３とで構成してある。図１、図３は図５（ｂ）の雨樋用飾り集水器５のＸーＸ線部分に対応する金型装置の下部部分の断面図を示している。図２、図４は金型装置の上部部分の断面図を示している。添付図面においては、固定型１は雨樋用飾り集水器５の外面側を形成するための外型であり、固定型１には図示を省略しているがゲートが設けてある。移動型２は雨樋用飾り集水器５の内面側を形成するための内型である。また、サイドコアー３は固定型１に対して前進、後退自在に取付けてある。
【００１１】
固定型１の雨樋用飾り集水器５の前面部に相当する部位に嵌め込み凹部１０を形成し、該嵌め込み凹部１０に固定型ブロック１１を嵌め込んで固定してある。この固定型ブロック１１の端部には化粧面形成部１２が設けてあって固定型１の一部を構成している。この化粧面形成部１２の両側にそれぞれ開口するように一対のガイド孔６が形成してあり、更にガイド孔６の先端開口の外側に段部形成部１３が形成してある。ここで、一対のガイド孔６の先端間の距離が後端間の距離よりも長くなるように一対のガイド孔６を略ハ字状に配置してある。このように略ハ字状の配置関係となるように形成された一対のガイド孔６にはそれぞれ前進、後退自在に一対のサイドコア３が挿入してある。したがって、一対の進退自在なサイドコア３は略ハ字状の位置関係となっている。
【００１２】
固定型ブロック１１の上記化粧面形成部１２の背部には移動方向変換機構収納用の凹所１４が形成してあり、更に該凹所１４の背方に該凹所１４と連通して移動体ガイド用凹部１５が形成してある。
移動体ガイド用凹部１５には移動体７が移動自在に嵌め込んであり、この移動体７の後端部に移動ロッド１６の先端部が結合してあり、移動ロッド１６を移動することで移動体７が移動体ガイド用凹部１５内を前後に移動するようになっている。一対のサイドコア３の後端部がそれぞれ移動方向変換機構を介して移動体７に連結してあって、移動体７を移動することで、各移動方向変換機構を介して略ハ字状に配置された一対のサイドコア３が前進したり、後退したりするようになっている。
【００１３】
添付図面に示す実施形態においては、略ハ字状に配置された一対のサイドコア３の後端部のガイド孔６よりも後方に突出した部分にそれぞれリンク１７の先端部が軸１８により回動自在に軸支してあり、各リンク１７後端部がそれぞれ移動体７の先端中央部に軸１９により回動自在に軸支してあり、このリンク機構が移動方向変換機構を構成している。すなわち、移動体７を移動することで、各リンク１７が軸１９を中心にして移動体７に対して回動しながら移動すると共に軸１８を中心にサイドコア３に対して回動しながらサイドコア３を移動させることで、リンク１７により移動体７の移動方向を変換して移動体７の移動方向に対して傾斜した一対のサイドコア３を前進又は後退させるのである。
【００１４】
ここで、本発明においては、移動体７を移動して一対のサイドコア３の先端部がガイド孔６から突出してキャビティ２５内に突入する状態と、一対のサイドコア３の先端部がガイド孔６から突出してキャビティ２５のアリ溝模様形成部の外面位置に位置する状態と、一対のサイドコア３の先端部がガイド孔６内に後退する状態とに移動自在とした構成となっている。
なお、上記実施形態においては、固定型１に一対のサイドコア３を組み込んだ固定型ブロック１１を固定した例を示したが、固定型１に直接サイドコア３を移動自在に組み込んでもよいものである。次に、上記のような金型装置を用いて雨樋用飾り集水器５を成形する成形方法につき説明する。固定型１と移動型２とサイドコア３とを型締めしてキャビティ２５内にゲートより合成樹脂を充填して射出成形により雨樋用飾り集水器５を成形するのであるが、まず、図６のように移動体７を移動して一対のサイドコア３を前進させて一対のサイドコア３の先端部がガイド孔６から突出してキャビティ２５内に突入させ（実施形態では可動型２にサイドコア３の先端が当接させる）、合成樹脂２６の流動径路を制限しておく。この状態でキャビティ２５内に合成樹脂２６を充填していき、合成樹脂２６の充填が所定量に達した時、図７に示すように一対のサイドコア３を先端部がガイド孔６から突出し且つキャビティ２５のアリ溝模様形成部の外面位置に位置する状態まで後退させて合成樹脂２６の流れを促進する。このように成形時に、サイドコア３がガイド孔６から突出してキャビティ２５内にサイドコア３の先端が突入して合成樹脂２６の流動径路を制限する図６の状態から、サイドコア３がガイド孔６から突出してキャビティ２５のアリ溝模様形成部の外面位置にサイドコア３の先端が位置する図７の状態に動かすタイミングを調整することで、充填する合成樹脂２６のウエルド位置を任意に制御することができるものである。上記のようにして成形するのであるが、成形後に型開きする前に、図８のように一対のサイドコア３を後退させて、型開きに当たって一対のサイドコア３が邪魔にならない状態とし、その後、型開きするのである。その後、移動型２から成形品である雨樋用飾り集水器５を脱型するのである。ここで固定型１から雨樋用飾り集水器５を脱型するに当たって一対のサイドコア３が後退していることで脱型の際に支障とならないものである。また、雨樋用飾り集水器５の内面部のアリ溝模様部４の背面部に該当する部分に内側溝部２０が形成されるが、この内側溝部２０は垂直な溝部として形成されるようになっており、このため移動型２から成形品である雨樋用飾り集水器５が容易に脱型できるものである。
【００１５】
上記のようにして１回の成形工程で成形された雨樋用飾り集水器５は、上下が開口し且つ下端から上端側にいくにしたがって径が大きくなるような容器状をしており、雨樋用飾り集水器５の前面に固定型ブロック１１の化粧面形成部１２により凹凸模様等の化粧面９が形成される。また、該化粧面９の縁部にアリ溝状の縁模様が形成されるが、このアリ溝状の縁模様のうち化粧面９の左右両側のアリ溝状の縁部であるアリ溝模様部４が形成される。なお化粧面９の上端部のアリ溝状の縁部分は固定型ブロック１１の化粧面形成部１２の上端部又は固定型１にこの部分を形成するアリ溝形成部が設けられ、このアリ溝形成部は固定型１から雨樋用飾り集水器５を脱型する際に支障なく上記アリ溝形成部から化粧面９の上端部のアリ溝状の縁部分が脱型されるものである。また、雨樋用飾り集水器５のアリ溝模様部４の外側には段部形成部１３により段模様部２５が形成される。上記のようにして成形された雨樋用飾り集水器５は、雨樋用飾り集水器５に別の雨樋用飾り集水器５を嵌め込むというようにして多段に積み重ねてコンパクトにした状態で保管、搬送を行うものである。
【００１８】
次に、図９乃至図１２に基づいて本発明の更に他の実施形態につき説明する。すなわち上記各実施形態においては、一対のサイドコア３を一つの移動体７の移動により同時に前進、後退させるようにしたが、本実施形態においては、固定型１に一対の移動体７を相互に独立して移動自在に設け、一対のサイドコア３の後端部をそれぞれ別々の移動体７にそれぞれ別々の移動方向変換機構を介して連結し、各移動体７の移動により各移動方向変換機構を介して各サイドコア３をそれぞれ独立して移動させるようにした構造となっていることが前述の実施形態と異なる構成である。
【００１９】
つまり、一方のサイドコア３ａの後端部を方向変換機構を構成するリンク１７ａの前端部に軸１８ａにより回動自在に軸支し、リンク１７ａの後端部を移動体７ａの前端部に軸１９ａにより回動自在に軸支してあり、他方のサイドコア３ｂの後端部を方向変換機構を構成するリンク１７ｂの前端部に軸１８ｂにより回動自在に軸支し、リンク１７ｂの後端部を移動体７ｂの前端部に軸１９ｂにより回動自在に軸支してあり、移動体７ａ、７ｂをそれぞれ独立して移動することで、サイドコア３ａ、３ｂをそれぞれ独立して移動できるようにしてある。
【００２０】
そして、本実施形態においては、両移動体７ａ、７ｂの移動のタイミングをずらすことに特徴がある。すなわち、まず、図９のように移動体７ａ、７ｂを移動して一対のサイドコア３ａ、３ｂを前進させて一対のサイドコア３ａ、３ｂの先端部をそれぞれガイド孔６から突出してキャビティ２５内に突入させ（実施形態では可動型２に両サイドコア３ａ、３ｂの先端が当接させる）、合成樹脂２６の流動径路を制限しておく。この状態でキャビティ２５内に合成樹脂２６を充填していき、合成樹脂２６の充填が所定量に達した時、図１０に示すように、一方の移動体７ａを移動して一方のサイドコア３ａを先端部がガイド孔６から突出し且つキャビティ２５のアリ溝模様形成部の外面位置に位置する状態まで後退させてこの部分の合成樹脂２６の流れを促進する。更に、合成樹脂２６の充填量が所定量に達した時、図１１に示すように、他方の移動体７ｂを移動して他方のサイドコア３ｂを先端部がガイド孔６から突出し且つキャビティ２５のアリ溝模様形成部の外面位置に位置する状態まで後退させて合成樹脂２６の流れを促進する。この一方のサイドコア３ａ、他方のサイドコア３ｂを移動するタイミングを調整することにより合成樹脂２６のウエルドの位置を任意に制御することができるものである。上記のようにして成形するのであるが、成形後に型開きする前に、図１２のように一対のサイドコア３をそれぞれ後退させて、型開きに当たって一対のサイドコア３が邪魔にならない状態とし、その後、型開きするのである。
【００２１】
【発明の効果】
本発明の請求項１記載の発明にあっては、上述のように、固定型、移動型及びサイドコアとからなる射出成形用金型を用いて上下が開口し且つ下端から上端側にいくにしたがって径が大きくなるような容器状をし且つ前面部にアリ溝からなるアリ溝模様部を有する雨樋用飾り集水器を成形する成形方法であって、上記成形金型を固定型と移動型と前記アリ溝からなる一対のアリ溝模様部を形成するための一対のサイドコアとで構成し、固定型に一対のガイド孔を設けると共に該一対のガイド孔の先端間の距離が後端間の距離よりも長くなるように一対のガイド孔を略ハ字状の配置関係となるように形成し、該一対のガイド孔に前進、後退自在に一対のサイドコアを挿入し、固定型に移動体を移動自在に設け、一対のサイドコアの後端部を移動方向変換機構を介して移動体に連結し、移動体の移動により、ガイド孔から突出してキャビティ内にサイドコアの先端が突入する状態と、ガイド孔から突出してキャビティのアリ溝模様形成部の外面位置にサイドコアの先端が位置する状態と、ガイド孔にサイドコアの先端が後退する状態とに移動自在とし、上記の構成の射出成形金型を用いて雨樋用飾り集水器を成形する際にサイドコアによりアリ溝模様部を成形するに当たって、上記サイドコアを前進させて１対のサイドコアの先端部がガイド孔から突出してキャビティ内に突入させて合成樹脂の流動経路を制限した状態でキャビティ内に合成樹脂を充填していき、合成樹脂の充填が所定量に達した時に１対のサイドコアを先端部がガイド孔から突出し且つキャビティのアリ溝模様形成部の外面位置に位置する状態まで後退させて合成樹脂の流れを促進し、成形後に型開きする前に１対のサイドコアの先端をガイド孔に後退させるので、前面に立体感、高級感のあるアリ溝模様部を有する雨樋用飾り集水器を１回の成形工程で簡単に形成でき、工程数が少ないので、生産性が高く且つコストダウンが図れるものであり、しかも、略ハ字状に配置した一対のサイドコアを移動方向変換機構を介して一つの移動体の移動により同時に移動して、一対のサイドコアの進退でアリ溝からなる一対のアリ溝模様部を形成でき、更に、成形時に、サイドコアがガイド孔から突出してキャビティ内にサイドコアの先端が突入して合成樹脂の流動径路を制限する状態から、サイドコアがガイド孔から突出してキャビティのアリ溝模様形成部の外面位置にサイドコアの先端が位置する状態に動かすタイミングを調整することで、充填する合成樹脂のウエルド位置を任意に制御することができるものである。
【００２２】
また、請求項２記載の発明にあっては、上述のように、固定型、移動型及びサイドコアとからなる射出成形用金型を用いて上下が開口し且つ下端から上端側にいくにしたがって径が大きくなるような容器状をし且つ前面部にアリ溝からなるアリ溝模様部を有する雨樋用飾り集水器を成形するに成形方法であって、上記成形金型を固定型と移動型と前記アリ溝からなる一対のアリ溝模様部を形成するための一対のサイドコアとで構成し、固定型に一対のガイド孔を設けると共に該一対のガイド孔の先端間の距離が後端間の距離よりも長くなるように一対のガイド孔を略ハ字状の配置関係となるように形成し、該一対のガイド孔に前進、後退自在に一対のサイドコアを挿入し、固定型に一対の移動体を相互に独立して移動自在に設け、且つ、一対のサイドコアの後端部をそれぞれ別々の移動体にそれぞれ別々の移動方向変換機構を介して連結し、且つ、各移動体の移動により、ガイド孔から突出してキャビティ内にサイドコアの先端が突入する状態と、ガイド孔から突出してキャビティのアリ溝模様形成部の外面位置にサイドコアの先端が位置する状態と、ガイド孔にサイドコアの先端が後退する状態とに移動自在に構成し、上記の構成の射出成形金型を用いて雨樋用飾り集水器を成形する際にサイドコアによりアリ溝模様部を成形するに当たって、上記サイドコアを前進させて１対のサイドコアの先端部がガイド孔から突出してキャビティ内に突入させて合成樹脂の流動経路を制限した状態でキャビティ内に合成樹脂を充填していき、合成樹脂の充填が所定量に達した時に１対のサイドコアを先端部がガイド孔から突出し且つキャビティのアリ溝模様形成部の外面位置に位置する状態まで後退させて合成樹脂の流れを促進し、成形後に型開きする前に１対のサイドコアの先端をガイド孔に後退させるので、前面に立体感、高級感のあるアリ溝模様部を有する雨樋用飾り集水器を１回の成形工程で簡単に形成でき、工程数が少ないので、生産性が高く且つコストダウンが図れるものであり、更に、成形時に、サイドコアがガイド孔から突出してキャビティ内にサイドコアの先端が突入して合成樹脂の流動径路を制限する状態から、サイドコアがガイド孔から突出してキャビティのアリ溝模様形成部の外面位置にサイドコアの先端が位置する状態に動かすタイミングを調整することで、充填する合成樹脂のウエルド位置を任意に制御することができるものである。しかも、上記略ハ字状に配置した一対のサイドコアをそれぞれ別々の移動方向変換機構を介してそれぞれ別々の移動体に連結してあるので、各サイドコアの移動タイミングを独立して調整できて、より自由に充填する合成樹脂のウエルド位置を任意の位置に制御できるものである。
【００２３】
また、請求項３記載の発明にあっては、上下が開口し且つ下端から上端側にいくにしたがって径が大きくなるような容器状をし且つ前壁部にアリ溝からなる左右一対のアリ溝模様部を有する雨樋用飾り集水器を成形するための金型装置であって、該金型装置が固定型と移動型と前記アリ溝からなる一対のアリ溝模様部を形成するための一対のサイドコアとからなり、固定型に一対のガイド孔を設けると共に該一対のガイド孔の先端間の距離が後端間の距離よりも長くなるように一対のガイド孔を略ハ字状の配置関係となるように形成し、該一対のガイド孔に前進、後退自在に一対のサイドコアを挿入し、固定型に移動体を移動自在に設け、一対のサイドコアの後端部を移動方向変換機構を介して移動体に連結し、移動体の移動により、ガイド孔から突出してキャビティ内にサイドコアの先端が突入する状態と、ガイド孔から突出してキャビティのアリ溝模様形成部の外面位置にサイドコアの先端が位置する状態と、ガイド孔にサイドコアの先端が後退する状態とに移動自在としてあるので、一対のサイドコアを略ハ字状に配置してこれを略ハ字状に配置した一対のガイド孔に沿って進退させるという簡単な構成により一対のアリ溝模様部を有する立体感、高級感のある雨樋用飾り集水器を１回の成形工程で成形できるものであり、また、成形時に、サイドコアがガイド孔から突出してキャビティ内にサイドコアの先端が突入して合成樹脂の流動径路を制限する状態から、サイドコアがガイド孔から突出してキャビティのアリ溝模様形成部の外面位置にサイドコアの先端が位置する状態に動かすタイミングを調整することで、肉厚修正を実施することなく合成樹脂の流動のバランスが調整できて、充填する合成樹脂のウエルド位置を任意に制御することができるものであり、また、上記略ハ字状に配置した一対のサイドコアを移動方向変換機構を介して一つの移動体の移動により同時に移動できるものであって、構造が簡略化できるものである。
【００２４】
また、請求項４記載の発明にあっては、上下が開口し且つ下端から上端側にいくにしたがって径が大きくなるような容器状をし且つ前壁部にアリ溝からなる左右一対のアリ溝模様部を有する雨樋用飾り集水器を成形するための金型装置であって、該金型装置が固定型と移動型と前記アリ溝からなる一対のアリ溝模様部を形成するための一対のサイドコアとからなり、固定型に一対のガイド孔を設けると共に該一対のガイド孔の先端間の距離が後端間の距離よりも長くなるように一対のガイド孔を略ハ字状の配置関係となるように形成し、該一対のガイド孔に前進、後退自在に一対のサイドコアを挿入し、固定型に一対の移動体を相互に独立して移動自在に設け、一対のサイドコアの後端部をそれぞれ別々の移動体にそれぞれ別々の移動方向変換機構を介して連結し、各移動体の移動により、ガイド孔から突出してキャビティ内にサイドコアの先端が突入する状態と、ガイド孔から突出してキャビティのアリ溝模様形成部の外面位置に各サイドコアの先端が位置する状態と、ガイド孔にサイドコアの先端が後退する状態とに移動自在としてあるので、一対のサイドコアを略ハ字状に配置してこれを略ハ字状に配置した一対のガイド孔に沿って進退させるという簡単な構成により一対のアリ溝模様部を有する立体感、高級感のある雨樋用飾り集水器を１回の成形工程で成形できるものであり、また、成形時に、サイドコアがガイド孔から突出してキャビティ内にサイドコアの先端が突入して合成樹脂の流動径路を制限する状態から、サイドコアがガイド孔から突出してキャビティのアリ溝模様形成部の外面位置にサイドコアの先端が位置する状態に動かすタイミングを調整することで、肉厚修正を実施することなく合成樹脂の流動のバランスが調整できて、充填する合成樹脂のウエルド位置を任意に制御することができるものであり、この時、上記略ハ字状に配置した一対のサイドコアがそれぞれ別々の移動方向変換機構を介してそれぞれ別々の移動体に連結してあるので、各サイドコアの移動タイミングを独立して調整できて、よりいっそう自由に充填する合成樹脂のウエルド位置を任意の位置に制御できるものである。
【図面の簡単な説明】
【図１】本発明の一実施形態の金型装置の型締め状態を示す下部部分の断面図である。
【図２】同上の金型装置の型締め状態を示す上部部分の断面図である。
【図３】同上の金型装置のサイドコアを後退させた状態の下部部分の断面図である。
【図４】同上の金型装置のサイドコアを後退させた状態の上部部分の断面図である。
【図５】同上により成形された雨樋用飾り集水器を示し、（ａ）は斜視図であり、（ｂ）は正面図であり、（ｃ）は（ｂ）のＸーＸ線の断面図である。
【図６】本発明の他の実施形態の金型装置における成形順序を示す説明図である。
【図７】同上の成形順序を示す説明図である。
【図８】同上の成形順序を示す説明図である。
【図９】本発明の更に他の実施形態の金型装置における成形順序を示す説明図である。
【図１０】同上の成形順序を示す説明図である。
【図１１】同上の成形順序を示す説明図である。
【図１２】同上の成形順序を示す説明図である。
【図１３】従来例の雨樋用飾り集水器を示す分解斜視図である。
【符号の説明】
１  固定型
２  移動型
３  サイドコア
４  アリ溝模様部
５  雨樋用飾り集水器
６  ガイド孔
７  移動体
【図１】
0003707194.tif 000002
【図２】
0003707194.tif 000003
【図３】
0003707194.tif 000004
【図４】
0003707194.tif 000005
【図５】
0003707194.tif 000006
【図６】
0003707194.tif 000007
【図７】
0003707194.tif 000008
【図８】
0003707194.tif 000009
【図９】
0003707194.tif 000010
【図１０】
0003707194.tif 000011
【図１１】
0003707194.tif 000012
【図１２】
0003707194.tif 000013
【図１３】
0003707194.tif 000014